(57)【要約】【課題】紙器を同じ向きに積み重ねても、上下の紙器同士が密着しないようにする。【解決手段】段ボールシートをプレス成形したカップ状容器１において、底壁２、周壁３及びフランジ４の各部分を形成し、この周壁３の上下部分に緩勾配部３ａを、中間部分に急勾配部３ｂをそれぞれ形成し、容器１を複数積み重ねると、急勾配部３ｂ同士が当接して、上下の容器１の間隔が保持されるようにする。【選択図】図２
2005035625.tif 000002
【特許請求の範囲】
【請求項１】
プレス成形される紙器に急勾配部を形成し、複数の紙器を積み重ねた時、上下の紙器の急勾配部同士が当接して、上下の紙器の間に間隔が保持されるようにした紙器積重ね時の密着防止構造。
【請求項２】
前記紙器をプレス成形するに際し、前記急勾配部で用紙を潰さないようにした請求項１に記載の紙器積重ね時の密着防止構造。
【請求項３】
紙器にプレスによる突起部を形成して、この突起部の表側上部幅が裏側下部幅よりも大きくなるようにし、複数の紙器を積み重ねた時、上下の紙器の突起部同士が当接して、上下の紙器の間に間隔が保持されるようにした紙器積重ね時の密着防止構造。
【発明の詳細な説明】
【技術分野】
【０００１】
この発明は、容器や仕切等の紙器を積み重ねて保管する際、上下の紙器同士の密着を防止する構造に関するものである。
【背景技術】
【０００２】
例えば、紙シートを加熱プレス成形してトレーを形成し、このトレーを積み重ねて保管すると、上下のトレー同士が密着して、商品収納に際し、自動機械によりトレーを一個ずつ取り出そうとしても、上下のトレーが分離せず、トラブルが生じることがある。
【０００３】
このトラブルを回避するため、下記特許文献１においては、トレーに非対称の凹部又は凸部を形成し、上下のトレーを１８０°向きを変えて積み重ねることにより、上下のトレーの間に間隔が保持されるようにする発明が開示されている。
【０００４】
【特許文献１】特開２００３−１３７２９４号公報
【発明の開示】
【発明が解決しようとする課題】
【０００５】
しかしながら、通常の紙器工場に備えられた積重ね装置による製造工程においては、上下のトレーを１８０°向きを変えて積み重ねることができず、上記発明は実現性の乏しいものであった。
【０００６】
そこで、この発明は、紙器を同じ向きに積み重ねても、上下の紙器同士が密着しないようにすることを課題とする。
【課題を解決するための手段】
【０００７】
上記課題を解決するため、この発明は、プレス成形される紙器に急勾配部を形成し、複数の紙器を積み重ねた時、上下の紙器の急勾配部同士が当接して、上下の紙器の間隔が保持されるようにしたのである。
【０００８】
なお、前記紙器をプレス成形するに際し、前記急勾配部で用紙を潰さないようにしておくと、急勾配部同士の当接が確実になり、間隔保持効果が向上する。
【０００９】
また、紙器にプレスによる突起部を形成して、この突起部の表側上部幅が裏側下部幅よりも大きくなるようにし、複数の紙器を積み重ねた時、突起部同士が当接して、上下の紙器の間隔が保持されるようにしてもよい。
【発明の効果】
【００１０】
この発明に係る密着防止構造を採用した紙器では、急勾配部又は突起部同士の当接により、紙器を同じ向きに積み重ねても、上下の紙器同士が密着しないので、通常の製造工程で積み重ね、商品収納時に自動機械で紙器を一個ずつ確実に分離させることができる。
【発明を実施するための最良の形態】
【００１１】
以下、この発明の実施の形態を添付図面に基づいて説明する。
【００１２】
図１は、第１の密着防止構造を採用したカップ状容器１を示す。この容器１は、段ボールシートをプレス成形して、底壁２、周壁３及びフランジ４の各部分を有する形状とされている。この容器１の周壁３には、金型からの抜き出し性を考慮しつつ、上下部分に緩勾配部３ａが、中間部分に急勾配部３ｂがそれぞれ形成されている。
【００１３】
このような容器１を、図２及び図３に示すように、複数積み重ねると、下方の容器１の急勾配部３ｂの上部内径よりも、上方の容器１の急勾配部３ｂの下部外径が大きくなるように勾配が設定されているため、急勾配部３ｂ同士が当接して、上下の容器１の間隔が保持される。
【００１４】
なお、プレス成形するに際し、図４に示すように、急勾配部３ｂで用紙を潰さないようにしておくと、急勾配部３ｂ同士の当接が確実になり、間隔保持効果が向上する。
【００１５】
次に、図５に示す仕切１１は、コ字状の切込１２を入れた段ボールシートをプレス成形して、基板１３から立上板１４を緩勾配で起立させたものであり、立上板１４の先端部には、金型からの抜き出し性を考慮して、垂直下方よりやや外側へ向かう急勾配部１５が形成されている。
【００１６】
このような仕切１１を、図５に示すように、複数積み重ねると、下方の仕切１１の急勾配部１５の下端外側が上方の仕切１１の急勾配部１５の内側下端よりも張り出すように勾配が設定されているため、上下の仕切１１の急勾配部１５同士が当接して、上下の仕切１１の間隔が保持される。
【００１７】
この場合にも、プレス成形するに際し、急勾配部１５で用紙を潰さないようにしておくと、急勾配部１５同士の当接が確実になり、間隔保持効果が向上する。
【００１８】
次に、図７において、第２の密着防止構造を採用したカップ状容器２１を示す。この容器２１は、段ボールシートをプレス成形して、底壁２２、周壁２３及びフランジ２４の各部分を形成すると共に、底壁２２に突起部２５を形成したものとされている。
【００１９】
ここで、図８に示すように、突起部２５の下部内径ａは、上部外径ｂよりも小さくなるように設定し、突起部２５の高さｈは、積重ね時に必要な隙間の大きさに設定しておく。
【００２０】
このような容器２１を、図９及び図１０に示すように、複数積み重ねると、上方の容器２１の突起部２５の下部周縁に、下方の容器２１の突起部２５の上部周縁が当接して、上下の容器２１の間隔が保持される。
【００２１】
なお、図１１に示すトレー状の容器３１のように、段ボールシートをプレス成形して、底壁３２及び周壁３３と共に、周壁３３にリブ状の突起部３５を形成し、その頂部の幅が内面に形成される溝の幅より大きくなるようにしても、積重ね時における間隔保持効果を得ることができる。
【００２２】
また、図１２に示す仕切４１のように、コ字状の切込４２を入れた段ボールシートをプレス成形して、基板４３から立上板４４を起立させ、その先端部を下方へ折り曲げると共に、立上板４４の基部に突起部４５を形成し、その表面側の幅が裏面側に形成される溝の幅より大きくなるようにしても、図１３に示すように、積重ね時に突起部４５同士が当接して、間隔保持効果を得ることができる。
【図面の簡単な説明】
【００２３】
【図１】この発明に係る第１の密着防止構造を採用したカップ状容器の斜視図
【図２】同上の積重ね状態を示す斜視図
【図３】同上の断面図
【図４】同上の急勾配部を潰さない形態の拡大断面図
【図５】この発明に係る密着防止構造を採用した仕切の斜視図
【図６】同上の積重ね状態を示す拡大断面図
【図７】この発明に係る第２の密着防止構造を採用したカップ状容器の斜視図
【図８】同上の突起部の拡大断面図
【図９】同上の積重ね状態を示す斜視図
【図１０】同上の断面図
【図１１】この発明に係る第２の密着防止構造を採用したトレー状容器の斜視図
【図１２】この発明に係る第２の密着防止構造を採用した仕切の斜視図
【図１３】同上の積重ね状態を示す斜視図
【符号の説明】
【００２４】
１  カップ状容器
２  底壁
３  周壁
３ａ  緩勾配部
３ｂ  急勾配部
４  フランジ
１１  仕切
１２  切込
１３  基板
１４  立上板
１５  急勾配部
２１  カップ状容器
２２  底壁
２３  周壁
２４  フランジ
２５  突起部
３１  トレー状容器
３２  底壁
３３  周壁
３５  突起部
４１  仕切
４２  切込
４３  基板
４４  立上板
４５  突起部
【図１】
2005035625.tif 000003
【図２】
2005035625.tif 000004
【図３】
2005035625.tif 000005
【図４】
2005035625.tif 000006
【図５】
2005035625.tif 000007
【図６】
2005035625.tif 000008
【図７】
2005035625.tif 000009
【図８】
2005035625.tif 000010
【図９】
2005035625.tif 000011
【図１０】
2005035625.tif 000012
【図１１】
2005035625.tif 000013
【図１２】
2005035625.tif 000014
【図１３】
2005035625.tif 000015